(57)【要約】【課題】巻取軸の切替時においてシートを切断する際に、そのシートが逃げるのをより抑制することが可能なシート巻取装置を提供する。【解決手段】シート巻取装置１００は、巻取軸１１が設けられたターレット機構１と、ガイドローラ４５および刃４３を有する切断巻付装置４と、切断されるシート１５０を支持する板状部材３２とを備える。ガイドローラ４５は、巻取位置Ｐ１の新しい巻取軸１１から送り出されるシート１５０の搬送方向を規定する。板状部材３２は、巻取位置Ｐ１の新しい巻取軸１１の近傍に移動され、シート１５０を挟んでガイドローラ４５と対向するように配置される。切断巻付装置４は、巻取位置Ｐ１の新しい巻取軸１１と板状部材３２との間に刃４３を進入させることにより、板状部材３２に支持されるシート１５０を切断するとともに、その切断されたシート１５０を巻取位置Ｐ１の新しい巻取軸１１に巻き付ける。【選択図】図６
2017114581.tif 000002
【特許請求の範囲】
【請求項１】
巻取軸にシートを巻き取るとともに、その巻取軸を切り替え可能に構成されたシート巻取装置であって、
複数の巻取軸が回転可能に設けられ、シート巻取時に巻取位置の巻取軸によりシートを巻き取るように構成されたターレット機構と、
巻取軸の切替時に、シートをガイドするガイドローラおよびシートを切断する刃を有する切断巻付装置と、
前記切断巻付装置により切断されるシートを支持する板状部材とを備え、
前記ターレット機構は、巻取軸の切替時に回動することにより、前記巻取位置の巻取軸を退避位置に退避させるとともに、前記巻取位置に新しい巻取軸を供給するように構成され、
前記ガイドローラは、巻取軸の切替時に、前記退避位置の巻取軸と前記巻取位置の新しい巻取軸との間でシートに接触するように移動されることにより、前記巻取位置の新しい巻取軸から送り出されるシートの搬送方向を規定するように構成され、
前記板状部材は、巻取軸の切替時に、前記巻取位置の新しい巻取軸の近傍に移動され、シートを挟んで前記ガイドローラと対向するように配置され、
前記切断巻付装置は、前記巻取位置の新しい巻取軸と前記板状部材との間に前記刃を進入させることにより、前記板状部材に支持されるシートを切断するとともに、その切断されたシートを前記巻取位置の新しい巻取軸に巻き付けるように構成されていることを特徴とするシート巻取装置。
【請求項２】
請求項１に記載のシート巻取装置において、
シート巻取時に前記巻取位置の巻取軸にシートを押圧する第１タッチローラを備え、
前記ターレット機構には、複数の第２タッチローラが設けられ、
前記第２タッチローラは、シート巻取時に、前記巻取位置の巻取軸に巻き取られるシートを前記第１タッチローラとで挟み込むように押圧し、かつ、巻取軸の切替時に、前記巻取位置の巻取軸が前記退避位置に移動する際にその巻取軸に巻き取られるシートを押圧しながら巻取軸とともに移動するように構成されていることを特徴とするシート巻取装置。
【請求項３】
請求項１または２に記載のシート巻取装置において、
シートが不織布であることを特徴とするシート巻取装置。
【請求項４】
請求項１〜３のいずれか１つに記載のシート巻取装置において、
前記切断巻付装置は、切断されたシートを前記巻取位置の新しい巻取軸にガイドするガイド部と、切断されたシートを前記巻取位置の新しい巻取軸に吹き付けるエア吐出部とを含むことを特徴とするシート巻取装置。
【発明の詳細な説明】
【技術分野】
【０００１】
本発明は、シート巻取装置に関する。
【背景技術】
【０００２】
従来、巻取軸にシートを巻き取るとともに、その巻取軸を切り替え可能に構成されたシート巻取装置が知られている（たとえば、特許文献１参照）。
【０００３】
このようなシート巻取装置は、複数の巻取軸が回転可能に設けられたターレット機構を備え、シート巻取時に巻取位置の巻取軸によりシートを巻き取るように構成されている。そして、巻取軸の切替時には、巻取位置の巻取軸を退避させるとともに、新しい巻取軸を巻取位置に供給し、シートを切断して新しい巻取軸に巻き付けるようになっている。
【０００４】
ここで、巻取軸の切替時におけるシートの切断性を向上させるために、特許文献１の巻取機では、シートを２点でピンチするとともに、そのピンチ間のシートに高い張力が加えられる。そして、張力が高いシートが新巻芯（新しい巻取軸）と受けローラとの間に架け渡されており、その新巻芯と受けローラとの間にカッタが進入することによりシートが切断される。これにより、カッタの進入の際に、シートがそのカッタの進入方向に逃げるのを抑制することができるので、シートの切断性の向上を図ることが可能である。
【先行技術文献】
【特許文献】
【０００５】
【特許文献１】特許第２５１４５３７号公報
【発明の概要】
【発明が解決しようとする課題】
【０００６】
しかしながら、上記した従来の巻取機では、カッタによるシートの切断時にシートが逃げるのをより抑制することが困難である。具体的には、新巻芯から受けローラに送られるシートの長さ（新巻芯と受けローラとの間において空中を走行するシートの長さ）として、カッタを進入させるための新巻芯と受けローラとの間の距離に加えて、新巻芯の半径分および受けローラの半径分の距離が必要であることから、シートが切断される際に空中を走行する部分の長さを短くすることが困難である。
【０００７】
本発明は、上記の課題を解決するためになされたものであり、本発明の目的は、巻取軸の切替時においてシートを切断する際に、そのシートが逃げるのをより抑制することが可能なシート巻取装置を提供することである。
【課題を解決するための手段】
【０００８】
本発明によるシート巻取装置は、巻取軸にシートを巻き取るとともに、その巻取軸を切り替え可能に構成されている。シート巻取装置は、複数の巻取軸が回転可能に設けられ、シート巻取時に巻取位置の巻取軸によりシートを巻き取るように構成されたターレット機構と、巻取軸の切替時に、シートをガイドするガイドローラおよびシートを切断する刃を有する切断巻付装置と、切断巻付装置により切断されるシートを支持する板状部材とを備える。ターレット機構は、巻取軸の切替時に回動することにより、巻取位置の巻取軸を退避位置に退避させるとともに、巻取位置に新しい巻取軸を供給するように構成されている。ガイドローラは、巻取軸の切替時に、退避位置の巻取軸と巻取位置の新しい巻取軸との間でシートに接触するように移動されることにより、巻取位置の新しい巻取軸から送り出されるシートの搬送方向を規定するように構成されている。板状部材は、巻取軸の切替時に、巻取位置の新しい巻取軸の近傍に移動され、シートを挟んでガイドローラと対向するように配置される。切断巻付装置は、巻取位置の新しい巻取軸と板状部材との間に刃を進入させることにより、板状部材に支持されるシートを切断するとともに、その切断されたシートを巻取位置の新しい巻取軸に巻き付けるように構成されている。
【０００９】
このように構成することによって、刃でシートを切断するときに、そのシートを板状部材により支持することができるので、シートが逃げるのをより抑制することができる。
【００１０】
上記シート巻取装置において、好ましくは、シート巻取時に巻取位置の巻取軸にシートを押圧する第１タッチローラを備え、ターレット機構には、複数の第２タッチローラが設けられ、第２タッチローラは、シート巻取時に、巻取位置の巻取軸に巻き取られるシートを第１タッチローラとで挟み込むように押圧し、かつ、巻取軸の切替時に、巻取位置の巻取軸が退避位置に移動する際にその巻取軸に巻き取られるシートを押圧しながら巻取軸とともに移動するように構成されている。
【００１１】
上記シート巻取装置において、好ましくは、シートが不織布である。
【００１２】
上記シート巻取装置において、好ましくは、切断巻付装置は、切断されたシートを巻取位置の新しい巻取軸にガイドするガイド部と、切断されたシートを巻取位置の新しい巻取軸に吹き付けるエア吐出部とを含む。
【発明の効果】
【００１３】
本発明のシート巻取装置によれば、巻取軸の切替時においてシートを切断する際に、そのシートが逃げるのをより抑制することができる。
【図面の簡単な説明】
【００１４】
【図１】本発明の一実施形態によるシート巻取装置の概略構成を示した模式図である。
【図２】図１のシート巻取装置において巻取位置の巻取軸にシートが巻き取られた状態を示した図である。
【図３】図２のシート巻取装置においてターレット機構が回動された状態を示した図である。
【図４】図３のシート巻取装置において切断巻付装置およびシート支持装置が回動した状態を示した図である。
【図５】図４のシート巻取装置においてシートが切断される直前の状態を示した図である。
【図６】図５のシート巻取装置においてシートが切断された状態を示した図である。
【図７】図６のシート巻取装置において切断巻付装置およびシート支持装置が元の位置に戻った状態を示した図である。
【発明を実施するための形態】
【００１５】
以下、本発明の一実施形態について図面を参照して説明する。
【００１６】
−構成−
まず、図１を参照して、本発明の一実施形態によるシート巻取装置１００の構成について説明する。なお、図１において、Ｙ２方向側が上流側であり、Ｙ１方向側が下流側である。
【００１７】
シート巻取装置１００は、図１に示すように、巻取軸１１にシート１５０を巻き取るとともに、その巻取軸１１を切り替え可能に構成されている。このシート巻取装置１００には、前工程（上流側）からシート１５０が供給され、そのシート１５０は、たとえば不織布からなる帯状シートである。
【００１８】
具体的には、シート巻取装置１００は、ターレット機構１と、タッチローラ機構２と、シート支持装置３と、切断巻付装置４とを備えている。
【００１９】
ターレット機構１には、巻取軸１１と、タッチローラ機構１２と、ガイドローラ１３および１４とが設けられ、それらが複数組設けられている。本実施形態では、巻取軸１１、タッチローラ機構１２、ガイドローラ１３および１４が２組設けられ、ターレット機構１の回動軸１ａに対して対称に配置されている。ターレット機構１は、回動軸１ａを中心にしてＲ１方向（図２参照）に回動可能に構成されている。
【００２０】
巻取軸１１は、ターレット機構１に着脱可能に取り付けられ、ターレット機構１に取り付けられた状態で回転可能に構成されている。巻取軸１１は、巻取位置Ｐ１に配置されるとともに、退避位置Ｐ２に配置されている。なお、巻取軸１１は、円筒状の巻芯１１ａが嵌め込まれ、その巻芯１１ａにシート１５０を巻き取るように構成されている。
【００２１】
このシート巻取装置１００では、シート巻取時に、巻取位置Ｐ１の巻取軸１１によりシート１５０を巻き取るように構成されている。そして、巻取軸１１の切替時には、ターレット機構１が回動されることにより、巻取位置Ｐ１の巻き取りを行っている巻取軸１１が退避位置Ｐ２に退避されるとともに、巻取位置Ｐ１に新しい巻取軸１１が供給されるようになっている。
【００２２】
なお、新しい巻取軸１１とは、シート１５０が巻き付けられていない空の巻芯１１ａが嵌め込まれた巻取軸である。また、巻取位置Ｐ１は、上流側から供給されるシート１５０を主に巻き取るための位置である。退避位置Ｐ２は、巻取軸１１の切替時に、新しい巻取軸１１を巻取位置Ｐ１に移動させるために、巻取位置Ｐ１で巻き取りを行っている巻取軸１１を巻取位置Ｐ１から退避させるための位置である。この退避位置Ｐ２は、巻取位置Ｐ１よりも下流側であり、巻取軸１１を取り外して巻芯１１ａを交換するための位置である。
【００２３】
タッチローラ機構１２は、基端がターレット機構１に連結されたアーム１２ａと、アーム１２ａの先端に回転可能に設けられた２つのタッチローラ１２ｂとを含んでいる。タッチローラ機構１２は、巻取位置Ｐ１の巻取軸１１に巻き取られるシート１５０に対してタッチローラ１２ｂを接触させるように構成されている。なお、タッチローラ１２ｂは、本発明の「第２タッチローラ」の一例である。
【００２４】
具体的には、巻取位置Ｐ１の巻取軸１１に巻き取られるシート１５０に対して、２つのタッチローラ１２ｂが下側から接触している。このため、タッチローラ１２ｂは、シート巻取時に、巻取位置Ｐ１の巻取軸１１に巻き取られるシート１５０を後述するタッチローラ２２とで挟み込むように押圧している。また、タッチローラ１２ｂは、巻取軸１１の切替時に、巻取位置Ｐ１の巻取軸１１が退避位置Ｐ２に移動する際にその巻取軸１１に巻き取られるシート１５０を押圧しながら巻取軸１１とともに移動するように構成されている。
【００２５】
ガイドローラ１３および１４は、ターレット機構１に回転可能に設けられている。このガイドローラ１３および１４は、巻取軸１１の切替時に、巻取位置Ｐ１の新しい巻取軸１１から退避位置Ｐ２の巻取軸１１に向かうシート１５０の搬送経路を規定するために設けられている。
【００２６】
タッチローラ機構２は、基端がフレーム（図示省略）に連結されたアーム２１と、アーム２１の先端に回転可能に設けられたタッチローラ２２と、タッチローラ２２にシート１５０を巻き掛けるためのニップローラ２３とを含んでいる。タッチローラ機構２は、巻取位置Ｐ１の巻取軸１１に巻き取られるシート１５０に対してタッチローラ２２を接触させるように構成されている。なお、タッチローラ２２は、本発明の「第１タッチローラ」の一例である。
【００２７】
具体的には、タッチローラ２２は、巻取位置Ｐ１の巻取軸１１の上方に配置され、その巻取軸１１にシート１５０を押圧するために設けられている。ニップローラ２３は、タッチローラ２２に対してシート１５０が接触する角度範囲（タッチローラ２２の周方向においてシート１５０が接触する部分の長さ）を大きくするために設けられている。このニップローラ２３は、図示省略したアームに回転可能に設けられ、そのアームは、アーム２１に設けられている。
【００２８】
シート支持装置３は、巻取軸１１の切替時においてシート１５０が切断される際に、そのシート１５０を支持するために設けられている。シート支持装置３は、フレームに設けられた第１アーム（図示省略）と、第１アームに設けられた第２アーム３１と、第２アームに設けられた板状部材３２とを含んでいる。
【００２９】
第１アームは、基端がフレームに回動可能に連結され、先端に第２アーム３１が設けられている。第２アーム３１は、基端の回動軸３１ａが第１アームに連結され、先端に板状部材３２が設けられている。板状部材３２は、板状に形成され、巻取軸１１の軸方向（図１の紙面に対する垂直方向）に延びるように形成されている。具体的には、板状部材３２は、シート１５０の幅方向における長さと対応するように形成されている。
【００３０】
そして、シート支持装置３は、シート巻取時に板状部材３２を巻取位置Ｐ１の上方に配置するとともに、巻取軸１１の切替時に板状部材３２を巻取位置Ｐ１の新しい巻取軸１１の近傍に移動させるように構成されている。
【００３１】
切断巻付装置４は、巻取軸１１の切替時に、シート１５０を切断するとともに、その切断したシート１５０を巻取位置Ｐ１の新しい巻取軸１１に巻き付けるために設けられている。この切断巻付装置４は、第１アーム４１と、第２アーム４２と、刃４３と、ガイドローラ４４および４５と、押さえローラ４６と、帯電装置４７と、エア吐出部４８と、切断端ガイド部４９とを含んでいる。なお、切断巻付装置４は、シート巻取時には、刃４３などが巻取位置Ｐ１の斜め下方に配置されるようになっている。
【００３２】
第１アーム４１は、フレームに設けられており、回動軸４１ａを中心にして回動可能である。第２アーム４２は、基端の回動軸４２ａが第１アーム４１に連結され、第１アーム４１に対して回動可能に設けられている。第２アーム４２の先端には、刃４３と、エア吐出部４８と、切断端ガイド部４９とが設けられている。
【００３３】
刃４３は、シート１５０を切断するために設けられ、巻取軸１１の軸方向に延びるように形成されている。具体的には、刃４３は、シート１５０の幅方向における長さと対応するように形成されている。
【００３４】
エア吐出部４８は、刃４３によるシート１５０の切断時に、シート１５０の切断端（シート１５０の流れ方向における上流側の切断端）にエアを吹き付けることにより、その切断端を巻取位置Ｐ１の新しい巻取軸１１に巻き付けるために設けられている。このエア吐出部４８は、刃４３によってシート１５０が切断される際に、刃４３に対してシート１５０の流れ方向における上流側に配置されるように構成されている。エア吐出部４８は、巻取軸１１の軸方向に沿うように設けられている。
【００３５】
切断端ガイド部４９は、シート１５０が切断されたときに、その切断端（上流側の切断端）を巻取位置Ｐ１の新しい巻取軸１１にガイドするために設けられている。この切断端ガイド部４９は、刃４３とエア吐出部４８との間に配置され、湾曲するように形成されている。また、切断端ガイド部４９は、刃４３と対応するように、巻取軸１１の軸方向に延びるように形成されている。
【００３６】
ガイドローラ４４および４５は、巻取軸１１の切替時に、退避位置Ｐ２の巻取軸１１と巻取位置Ｐ１の新しい巻取軸１１との間でシート１５０に接触するように構成されている。このため、ガイドローラ４４および４５は、巻取位置Ｐ１の新しい巻取軸１１から送り出されるシート１５０の搬送方向を規定するように構成されている。ガイドローラ４４は、第１アーム４１に回転可能に設けられている。ガイドローラ４５は、図示省略した第３アームに回転可能に設けられ、その第３アームは、第１アーム４１に設けられている。
【００３７】
押さえローラ４６は、巻取軸１１の切替時に、巻取位置Ｐ１の新しい巻取軸１１にシート１５０を押さえ付けるために設けられている。具体的には、押さえローラ４６は、巻取位置Ｐ１の新しい巻取軸１１の下側からシート１５０をその巻取軸１１に押し付けるようになっている。この押さえローラ４６は、図示省略した第４アームに回転可能に設けられ、その第４アームは、第１アーム４１に設けられている。
【００３８】
帯電装置４７は、巻取軸１１の切替時に、シート１５０を帯電させることにより、巻取位置Ｐ１の新しい巻取軸１１にシート１５０の切断端が吸着しやすくするために設けられている。この帯電装置４７は、第１アーム４１に設けられるとともに、巻取軸１１の軸方向に沿うように設けられている。
【００３９】
−動作−
次に、図１〜図７を参照して、本実施形態によるシート巻取装置１００の動作について説明する。
【００４０】
［シート巻取時］
まず、図１に示すように、前工程（上流側）から供給されるシート１５０が、巻取位置Ｐ１の巻取軸１１とタッチローラ２２との間に搬送される。そして、巻取位置Ｐ１の巻取軸１１が図１の反時計回りに回転されることにより、その巻取軸１１の巻芯１１ａにシート１５０が巻き取られる。
【００４１】
このとき、タッチローラ２２が巻取位置Ｐ１の巻取軸１１の上方に配置されるとともに、タッチローラ１２ｂが巻取位置Ｐ１の巻取軸１１の下方に配置される。このため、巻取位置Ｐ１の巻取軸１１に巻き取られるシート１５０が、タッチローラ２２および１２ｂによって挟み込まれるように押圧される。このため、シート１５０が不織布であっても、巻取軸１１にシート１５０を硬く巻くことが可能である。
【００４２】
ここで、ニップローラ２３は、シート１５０を介してタッチローラ２２に接触されており、タッチローラ２２に対するシート１５０の接触する角度範囲が大きくなっている。そして、シート１５０の搬送速度に応じてタッチローラ２２を駆動回転させるとともに、巻取位置Ｐ１の巻取軸１１およびタッチローラ１２ｂを補助的に駆動回転させる。
【００４３】
なお、シート支持装置３および切断巻付装置４は、それぞれ初期位置に配置される。また、ターレット機構１の下流側（Ｙ１方向側）に配置されるタッチローラ機構１２では、タッチローラ１２ｂが上側（Ｚ１方向側）に配置されており、そのタッチローラ１２ｂが退避位置Ｐ２の新しい巻取軸１１から離間されている。
【００４４】
そして、シート１５０の巻き取りに起因して巻径が増大すると、図２に示すように、その巻径の増大に応じて、タッチローラ２２が上方（Ｚ１方向）に移動されるとともに、タッチローラ１２ｂが下方（Ｚ２方向）に移動される。
【００４５】
［巻取軸の切替時］
そして、巻取軸１１の切り替えが開始されると、まず、ターレット機構１が回動軸１ａを中心にしてＲ１方向に１８０度回動される。これにより、図３に示すように、巻取位置Ｐ１に位置していた巻取軸１１が退避位置Ｐ２に退避されるとともに、退避位置Ｐ２に位置していた新しい巻取軸１１が巻取位置Ｐ１に供給される。このように、巻取位置Ｐ１の巻取軸１１が退避位置Ｐ２に移動する際に、その巻取軸１１に巻き取られるシート１５０を押圧するタッチローラ１２ｂも移動する。すなわち、タッチローラ１２ｂにより巻き取られるシート１５０が押圧された状態で、巻取位置Ｐ１から退避位置Ｐ２に巻取軸１１が移動される。
【００４６】
ここで、この巻取軸１１の切替時において、シート１５０が巻取位置Ｐ１の新しい巻取軸１１の巻芯１１ａに巻き付けられるまでは、退避位置Ｐ２の巻取軸１１によりシート１５０が巻き取られる。すなわち、前工程（上流側）から供給されるシート１５０の搬送が停止されることなく、巻取軸１１の切り替えが行われる。なお、退避位置Ｐ２の巻取軸１１により巻き取られるシート１５０はタッチローラ１２ｂによって押圧し続けられる。
【００４７】
また、巻取位置Ｐ１の新しい巻取軸１１にシート１５０が接触され、その新しい巻取軸１１から退避位置Ｐ２の巻取軸１１に向かうシート１５０がガイドローラ１３および１４によってガイドされる。これにより、上流側に配置されるタッチローラ１２ｂを避けたシート１５０の搬送経路が形成される。
【００４８】
なお、シート１５０が接触するガイドローラ１４は、巻取位置Ｐ１の新しい巻取軸１１よりも下方に配置されるとともに、上流側のタッチローラ１２ｂよりも上流側に配置される。また、シート１５０が接触するガイドローラ１３は、上流側のタッチローラ１２ｂよりも下方に配置されるとともに、シート１５０が接触するガイドローラ１４よりも下流側に配置される。
【００４９】
次に、図４に示すように、シート支持装置３では、第１アーム（図示省略）が回動されることにより、第２アーム３１が下方に移動され、切断巻付装置４では、第１アーム４１が回動軸４１ａを中心にして回動されることにより、巻取位置Ｐ１の新しい巻取軸１１とガイドローラ１４との間のシート１５０にガイドローラ４４および４５が接触される。
【００５０】
その後、図５に示すように、シート支持装置３では、第２アーム３１が回動軸３１ａを中心にして回動されることにより、板状部材３２が巻取位置Ｐ１の新しい巻取軸１１の近傍に配置される。また、切断巻付装置４では、ガイドローラ４５を支持する第３アーム（図示省略）が回動されることにより、ガイドローラ４５が板状部材３２の近傍に配置され、押さえローラ４６を支持する第４アーム（図示省略）が回動されることにより、押さえローラ４６がシート１５０を介して巻取位置Ｐ１の新しい巻取軸１１に接触される。
【００５１】
このとき、巻取位置Ｐ１の新しい巻取軸１１に対して上方にタッチローラ２２が配置され、そのタッチローラ２２がシート１５０を介して新しい巻取軸１１に接触される。また、巻取位置Ｐ１の新しい巻取軸１１に対して下方に押さえローラ４６が配置され、その押さえローラ４６がシート１５０を介して新しい巻取軸１１に接触される。また、巻取位置Ｐ１の新しい巻取軸１１の上流側（Ｙ２方向側）の近傍に帯電装置４７が配置され、その帯電装置４７により新しい巻取軸１１に巻き掛けられるシート１５０が帯電される。
【００５２】
また、ガイドローラ４５は、巻取位置Ｐ１の新しい巻取軸１１の下流側の近傍に配置される。なお、ガイドローラ４５は、巻取位置Ｐ１の新しい巻取軸１１とほぼ同じ高さ位置に配置される。このため、巻取位置Ｐ１の新しい巻取軸１１からガイドローラ４５に向けてシート１５０が下流側に斜め上方に向けて搬送される。つまり、ガイドローラ４５は、巻取位置Ｐ１の新しい巻取軸１１から送り出されるシート１５０の搬送方向を規定するために設けられている。また、ガイドローラ４４は、ガイドローラ４５の下方に配置されるとともに、第２アーム４２の先端よりも下流側に配置される。このため、刃４３などを避けたシート１５０の搬送経路が形成される。なお、巻取位置Ｐ１の新しい巻取軸１１から送り出されるシート１５０は、ガイドローラ４５、４４、１４および１３を介して退避位置Ｐ２の巻取軸１１に搬送される。
【００５３】
また、板状部材３２は、シート１５０を挟んでガイドローラ４５と対向する位置に配置される。板状部材３２の表面はガイドローラ４５の近傍に配置されており、その板状部材３２の表面に対して搬送されるシート１５０が僅かに離間されている。また、板状部材３２は、先端が巻取位置Ｐ１の新しい巻取軸１１の近傍に配置される。すなわち、板状部材３２の先端がシート１５０の切断位置の近傍に配置される。なお、切断位置は、シート１５０の搬送方向における巻取位置Ｐ１の新しい巻取軸１１と板状部材３２との間である。
【００５４】
次に、図６に示すように、切断巻付装置４では、第２アーム４２が回動軸４２ａを中心にして回動されることにより、巻取位置Ｐ１の新しい巻取軸１１とガイドローラ４５との間におけるシート１５０の搬送方向とほぼ直交する方向に刃４３が移動する。このため、刃４３が巻取位置Ｐ１の新しい巻取軸１１と板状部材３２との間に進入することにより、その刃４３によってシート１５０が切断される。ここで、刃４３によってシート１５０が切断されるときに、切断されるシート１５０が板状部材３２側に押し付けられ、そのシート１５０が板状部材３２により支持される。
【００５５】
また、シート１５０の切断時には、刃４３とともにエア吐出部４８および切断端ガイド部４９が巻取位置Ｐ１の新しい巻取軸１１の近傍に移動される。エア吐出部４８は、刃４３に対してシート１５０の流れ方向における上流側に配置され、切断端ガイド部４９は、刃４３とエア吐出部４８との間に配置される。そして、エア吐出部４８からエアが吐出され、シート１５０の上流側の切断端が巻取位置Ｐ１の新しい巻取軸１１に吹き付けられる。また、切断端ガイド部４９が巻取位置Ｐ１の新しい巻取軸１１に対して僅かに離間した状態でその巻取軸１１の外周に沿うように配置されており、エア吐出部４８から吐出されるエアとともにシート１５０の切断端が新しい巻取軸１１と切断端ガイド部４９との間に案内される。そして、切断されたシート１５０が巻取位置Ｐ１の新しい巻取軸１１に巻き付けられる。なお、シート１５０の下流側の切断端は、退避位置Ｐ２の巻取軸１１に巻き取られる。
【００５６】
そして、図７に示すように、シート支持装置３および切断巻付装置４が初期位置に戻る。その後、上流側に配置されるタッチローラ１２ｂが上昇され、そのタッチローラ１２ｂにより巻取位置Ｐ１の巻取軸１１が押圧される。また、退避位置Ｐ２において巻き上がったロール１６０が排出される。具体的には、退避位置Ｐ２の巻取軸１１がターレット機構１から取り外され、その巻取軸１１からロール１６０が抜き取られる。そして、巻取軸１１に新しい巻芯１１ａが嵌め込まれ、その新しい巻取軸１１が退避位置Ｐ２に取り付けられる。
【００５７】
以上の動作が繰り返し行われることにより、巻取軸１１の切り替えを行いながら、シート１５０が連続的に巻き取られる。
【００５８】
−効果−
本実施形態では、上記のように、板状部材３２を含むシート支持装置３を設けることによって、刃４３でシート１５０を切断するときに、そのシート１５０を板状部材３２により支持することができるので、シート１５０が逃げるのをより抑制することができる。すなわち、巻取位置Ｐ１の新しい巻取軸１１と板状部材３２との間で、空中を走行するシート１５０の長さを短くすることができるので、シート１５０の切断性を向上させることができる。したがって、シート１５０が不織布であり、切断しにくい場合であっても、適切に切断することができる。
【００５９】
また、本実施形態では、ターレット機構１にタッチローラ機構１２を設けることによって、巻取軸１１の切替時にも巻き取られるシート１５０を押圧することができる。また、シート１５０が不織布であっても、巻取軸１１にシート１５０を硬く巻くことができる。
【００６０】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【符号の説明】
【００６１】
１      ターレット機構
４      切断巻付装置
１１    巻取軸
１２ｂ  タッチローラ（第２タッチローラ）
２２    タッチローラ（第１タッチローラ）
３２    板状部材
４３    刃
４５    ガイドローラ
４８    エア吐出部
４９    切断端ガイド部（ガイド部）
１００  シート巻取装置
１５０  シート
【図１】
2017114581.tif 000003
【図２】
2017114581.tif 000004
【図３】
2017114581.tif 000005
【図４】
2017114581.tif 000006
【図５】
2017114581.tif 000007
【図６】
2017114581.tif 000008
【図７】
2017114581.tif 000009
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
巻取軸にシートを巻き取るとともに、その巻取軸を切り替え可能に構成されたシート巻取装置であって、
複数の巻取軸が回転可能に設けられ、シート巻取時に巻取位置の巻取軸によりシートを巻き取るように構成されたターレット機構と、
前記巻取位置の巻取軸にシートを上方から押圧する第１タッチローラと、
巻取軸の切替時に、シートをガイドするガイドローラおよびシートを切断する刃を有する切断巻付装置と、
前記切断巻付装置により切断されるシートを支持する板状部材とを備え、
前記ターレット機構は、巻取軸の切替時に回動することにより、前記巻取位置の巻取軸を退避位置に退避させるとともに、前記巻取位置に新しい巻取軸を供給するように構成され、かつ、複数の第２タッチローラが設けられ、
前記第２タッチローラは、シート巻取時に、前記巻取位置の巻取軸に巻き取られるシートを前記第１タッチローラとで挟み込むように押圧し、かつ、巻取軸の切替時に、前記巻取位置の巻取軸が前記退避位置に移動する際にその巻取軸に巻き取られるシートを押圧しながら巻取軸とともに移動するように構成され、
前記ガイドローラは、巻取軸の切替時に、前記退避位置の巻取軸と前記巻取位置の新しい巻取軸との間でシートに接触するように移動されることにより、前記巻取位置の新しい巻取軸から送り出されるシートの搬送方向を規定するように構成され、
前記板状部材は、巻取軸の切替時に、前記巻取位置の新しい巻取軸の近傍に移動され、シートを挟んで前記ガイドローラと対向するように配置され、
前記切断巻付装置は、巻取軸の切替時に前記巻取位置の新しい巻取軸にシートを下方から押さえ付ける押さえローラを有しており、その押さえローラによりシートが押さえ付けられた状態で、前記巻取位置の新しい巻取軸と前記板状部材との間にシートの下面側から前記刃を進入させることにより、前記板状部材によって上面側が支持されるシートを切断するとともに、その切断されたシートを前記巻取位置の新しい巻取軸に巻き付けるように構成されていることを特徴とするシート巻取装置。
【請求項２】
請求項１に記載のシート巻取装置において、
シートが不織布であることを特徴とするシート巻取装置。
【請求項３】
請求項１または２に記載のシート巻取装置において、
前記切断巻付装置は、切断されたシートを前記巻取位置の新しい巻取軸にガイドするガイド部と、切断されたシートを前記巻取位置の新しい巻取軸に吹き付けるエア吐出部とを含むことを特徴とするシート巻取装置。
【手続補正２】
【補正対象書類名】明細書
【補正対象項目名】０００８
【補正方法】変更
【補正の内容】
【０００８】
本発明によるシート巻取装置は、巻取軸にシートを巻き取るとともに、その巻取軸を切り替え可能に構成されている。シート巻取装置は、複数の巻取軸が回転可能に設けられ、シート巻取時に巻取位置の巻取軸によりシートを巻き取るように構成されたターレット機構と、巻取位置の巻取軸にシートを上方から押圧する第１タッチローラと、巻取軸の切替時に、シートをガイドするガイドローラおよびシートを切断する刃を有する切断巻付装置と、切断巻付装置により切断されるシートを支持する板状部材とを備える。ターレット機構は、巻取軸の切替時に回動することにより、巻取位置の巻取軸を退避位置に退避させるとともに、巻取位置に新しい巻取軸を供給するように構成され、かつ、複数の第２タッチローラが設けられている。第２タッチローラは、シート巻取時に、巻取位置の巻取軸に巻き取られるシートを第１タッチローラとで挟み込むように押圧し、かつ、巻取軸の切替時に、巻取位置の巻取軸が退避位置に移動する際にその巻取軸に巻き取られるシートを押圧しながら巻取軸とともに移動するように構成されている。ガイドローラは、巻取軸の切替時に、退避位置の巻取軸と巻取位置の新しい巻取軸との間でシートに接触するように移動されることにより、巻取位置の新しい巻取軸から送り出されるシートの搬送方向を規定するように構成されている。板状部材は、巻取軸の切替時に、巻取位置の新しい巻取軸の近傍に移動され、シートを挟んでガイドローラと対向するように配置される。切断巻付装置は、巻取軸の切替時に巻取位置の新しい巻取軸にシートを下方から押さえ付ける押さえローラを有しており、その押さえローラによりシートが押さえ付けられた状態で、巻取位置の新しい巻取軸と板状部材との間にシートの下面側から刃を進入させることにより、板状部材によって上面側が支持されるシートを切断するとともに、その切断されたシートを巻取位置の新しい巻取軸に巻き付けるように構成されている。
【手続補正３】
【補正対象書類名】明細書
【補正対象項目名】００１０
【補正方法】削除
【補正の内容】